(57)【要約】【課題】簡単な構造で床面等の掃除と同時に空中に浮遊する細塵を効率よく吸引して、人体への悪影響を抑制することのできる低コストで使い勝手のよい電気掃除機を提供する。【解決手段】床面などの塵埃等を吸引するホースユニットと、ホースユニットが接続される第１の吸込み口４を有し、内部に第１の吸込み口４と連通する集塵ボックス３０や電動送風機５０が収容された掃除機本体１とを備え、掃除機本体１に空中に浮遊する細塵を吸引する第２の吸込み口１４を設け、また集塵ボックス３０に第２の吸込み口１４と連通する開口部３３を設けると共にこの開口部３３を開閉するシャッタ３５を設け、掃除機本体１の上蓋１０を閉じたときに、シャッタ３５により集塵ボックス３０の開口部３３の開度が調整されるように構成した。【選択図】図１
2010029239.tif 000002
【特許請求の範囲】
【請求項１】
床面などの塵埃等を吸引するホースユニットと、該ホースユニットが接続される第１の吸込み口を有し、内部に該第１の吸込み口と連通する集塵ボックスや電動送風機が収容された掃除機本体とを備え、
前記掃除機本体に空中に浮遊する細塵を吸引する第２の吸込み口を設け、また前記集塵ボックスに前記第２の吸込み口と連通する開口部を設けると共に該開口部を開閉するシャッタを設け、
前記掃除機本体の上蓋を閉じたときに、前記シャッタにより集塵ボックスの開口部の開度が調整されるように構成したことを特徴とする電気掃除機。
【請求項２】
前記第２の吸込み口を前記掃除機本体の上蓋に設けると共に、前記開口部を前記集塵ボックスの上部に設け、さらに、前記上蓋に該上蓋を閉じたときに前記集塵ボックスに設けたシャッタの開度を調整するシャッタ調節体を設けたことを特徴とする請求項１記載の電気掃除機。
【請求項３】
前記シャッタ調節体を上蓋に沿って移動可能に構成し、該シャッタ調節体の位置によって前記シャッタの開度を２段階以上に切替え得るようにしたことを特徴とする請求項２記載の電気掃除機。
【請求項４】
前記シャッタは、前記集塵ボックスに回動自在に支持された回動軸に設けられ、該回動軸の前記シャッタの反対側には前記シャッタ調節体が作用するシャッタ駆動板が設けられて、前記開口部を閉じるように付勢されていることを特徴とする請求項２又は３記載の電気掃除機。
【請求項５】
前記シャッタ調節体の位置を検出する位置検出手段を設け、該位置検出手段によって検出されたシャッタ調節体の位置を、表示灯又はブザーにより報知することを特徴とする請求項２〜４のいずれかに記載の電気掃除機。
【請求項６】
前記掃除機本体の上蓋に、前記シャッタ調節体を移動させる駆動手段を設けたことを特徴とする請求項２〜５のいずれかに記載の電気掃除機。
【請求項７】
前記掃除機本体に埃センサを設け、該埃センサの検出情報に対応して前記駆動手段を駆動し、前記シャッタ調節体を移動させることを特徴とする請求項６記載の電気掃除機。
【請求項８】
前記シャッタ調節体の位置に対応して、前記電動送風機への供給電力を調整することを特徴とする請求項２〜７のいずれかに記載の電気掃除機。
【発明の詳細な説明】
【技術分野】
【０００１】
本発明は、電気掃除機に係り、より詳しくは、床面等の掃除中に、空中に浮遊する細塵を同時に吸引する機能を備えた電気掃除機に関するものである。
【背景技術】
【０００２】
電気掃除機による掃除の際には、床面、絨毯などの上やこれらに付着している塵埃や花粉、アレルゲン、埃などが、空気と共に掃除機本体内に吸引されて除塵されるが、反面、清掃している人の歩行や掃除機本体からの排気などによって、床面や絨毯上の花粉やアレルゲン、埃など（以下、細塵という）が空中に再飛散することがある。
これら再飛散した細塵は、床面近傍を長時間浮遊し続けるため、特に、口や鼻の位置の低い乳幼児などが、浮遊している細塵を吸い込んで、花粉症やアトピー性皮膚炎などのアレルギーを発症させる原因の一つとなることがある。
【０００３】
このような問題を解決するために、掃除機本体内に掃除用電動送風機と清浄用送風機を設けると共に、掃除機本体の上面に外気用フィルタを有し、清浄用送風機によって外気を吸引する外気吸気口と、外気用フィルタによって除塵された空気を排出する外気用排気口を設け、掃除用電動送風機と清浄用送風機とを同時に駆動するようにした電気掃除機がある（例えば、特許文献１参照）。
【０００４】
【特許文献１】特開２００４−１１３４６８号公報（第４頁、図２）
【発明の開示】
【発明が解決しようとする課題】
【０００５】
引用文献１の電気掃除機は、床上等の塵埃を吸引するための清浄用電動送風機及び掃除用フィルタを有する本体排出口とは別に、浮遊する細塵を吸引するための清浄用送風機及び清浄排気フィルタを有する外気排気口を設け、通常の掃除用の気流とは別に清浄用の気流を作り出すようにしているため、構造が複雑で多くの部品を必要とし、このため重量が大でサイズが大型化するばかりでなく、コストアップになるという問題があった。
【０００６】
本発明は、上記の課題を解決するためになされたもので、簡単な構造で、床面等の掃除と同時に空中に浮遊する細塵を効率よく吸引して、人体への悪影響を抑制することのできる低コストで使い勝手のよい電気掃除機を提供することを目的としたものである。
【課題を解決するための手段】
【０００７】
本発明に係る電気掃除機は、床面などの塵埃等を吸引するホースユニットと、該ホースユニットが接続される第１の吸込み口を有し、内部に該第１の吸込み口と連通する集塵ボックスや電動送風機が収容された掃除機本体とを備え、前記掃除機本体に空中に浮遊する細塵を吸引する第２の吸込み口を設け、また前記集塵ボックスに前記第２の吸込み口と連通する開口部を設けると共に該開口部を開閉するシャッタを設け、前記掃除機本体の上蓋を閉じたときに、前記シャッタにより集塵ボックスの開口部の開度が調整されるように構成したものである。
【発明の効果】
【０００８】
本発明によれば、空中の浮遊細塵を吸引するための専用の送風機やフィルタを必要としないので、掃除機本体の小型化、軽量化を実現することができ、また低コスト化をはかることができる。
【発明を実施するための最良の形態】
【０００９】
［実施の形態１］
図１は本発明の実施の形態１に係る電気掃除機の掃除機本体の縦断面図、図２は図１の掃除機本体の上蓋を開放した状態の外観斜視図、図３は図１の上蓋の平面図、図４は図３の上蓋の斜視図、図５は図１の上蓋と集塵ボックスの要部の説明図、図６は図５の正面斜視図、図７は図５の風路開閉部の作用説明図である。なお、以下の説明では、図１の左側を前部側又は上流側、右側を後部側又は下流側という。
【００１０】
本発明に係る電気掃除機の全体構成を示す図８において、１は下ケース２、上ケース３及び上蓋１０等からなり、内部に後述の集塵ボックスや電動送風機等が収容された掃除機本体で、前部側に設けたホース接続口４には、ホースユニット５５を構成する蛇腹状のホース５６の一端が着脱自在に接続されており、操作部を有しホース５６の他端に設けられた手元ハンドル５７には、先端部に床用吸込み具５９が連結された延長管５８が着脱自在に接続されている。
【００１１】
図１、図２に示すように、掃除機本体１を構成する下ケース２の前部側には、ホース接続口４（第１の吸込み口）が設けられ、さらにその前部側には門型のハンドル５が設けられており、後部側には排気口６が設けられている。７は下ケース２の下面に設けた複数の車輪（キャスタ）である。
【００１２】
上蓋１０は蓋本体１１とその上に一体的に設けられた化粧板１２とからなり、後部側がヒンジ１３により上ケース３に開閉自在に装着されている。そして、化粧板１２の前部側には、図４、図５に示すように、蓋本体１１との間に第２の吸込み口１４が設けられており、また、蓋本体１１には、化粧板１２との間の風路１６を介して第２の吸込み口１４と連通する風路接続口１５が設けられている。１７は上蓋１０の風路接続口１５の前部側において、上蓋１０の下面に設けられたシャッタ調節体で、押圧ノブ１８を備えており、例えば、上蓋１０に設けたガイド溝（図示せず）に沿って、左右方向（図６の矢印ａ，ｂ方向）に移動可能に構成されている。１９は上蓋１０に設けた上蓋１０のロック解除ボタンである。
【００１３】
また、下ケース２と上ケース３との前後方向の中央部近傍には、前後を仕切る格子状の隔壁２５が設けられており、隔壁２５の前部側には集塵室２６が、後部側には電動送風機室２７が設けられている。そして、集塵室２６には集塵ボックス３０が着脱可能に収容されており、集塵ボックス３０の上面には、集塵ボックス３０を集塵室２６に収容して倒すとロックされ、起立させるとロックが解除されて集塵ボックス３０を上方に引出すことのできるハンドル３１が設けられている（図２）。
【００１４】
３２は集塵ボックス３０の上部に設けた風路開閉部で、図５、図６に示すように、上蓋１０を閉じたときに、上蓋１０に設けた風路接続部１５と対向して、第２の吸込み口１４から集塵ボックス３０内に至る風路を構成する開口部３３と、この開口部３３を開閉する開口部開閉部３４とからなっている。
【００１５】
開口部開閉部３４は、開口部３３の近傍において集塵ボックス３０の外側に回動自在に支持された回動軸３６に設けられ、開口部３３を開閉するシャッタ３５と、シャッタ３５の反対側において回動軸３６に設けられたシャッタ３５のほぼ２分の１の幅のシャッタ駆動板３７と、同じくシャッタ３５の反対側において、軸３６にシャッタ駆動板３７と若干離れて設けられたばね座３８と、ばね座３８と集塵ボックス３０との間に介装され、シャッタ３５を常時開口部３３を閉じる方向に付勢するばね３９とからなっている。なお、ばね座３８を省略し、シャッタ駆動板３７と集塵ボックス３０との間にばねを介装してもよい。４０は集塵ボックス２３の下流側に一体的に設けたフィルタである。
【００１６】
上記のように構成した風路接続口１５と風路開閉部３２において、上蓋１０に設けたシャッタ調節体１７を、図６の矢印ａ方向に移動させ（以下、ａ位置という）て上蓋１０を閉じると、図６に実線矢印Ａで示すように、その開閉ノブ１８はシャッタ駆動板３７に接触しないため、図７（ａ）に示すように、シャッタ３５は回動せず、開口部３３の閉塞状態を続ける。
【００１７】
次に、シャッタ調節体１７を、図６の矢印ｂ方向に移動させ（以下、ｂ位置という）て上蓋１０を閉じると、図６に破線矢印Ｂで示すように、その開閉ノブ１８がシャッタ駆動板３７に当接し、図７（ｂ）に示すように、シャッタ駆動板３７を圧下して回動軸３６を回動させる。これにより、シャッタ３５は反時計方向回りに回動して開口部３３を開口し、風路接続口１５と開口部３３を連通し、第２の吸気口１４から吸引された空気流が、集塵ボックス３０内に導かれる。
【００１８】
また、電動送風機室２７には、隔壁２５に臨んで電動送風機５０が設置されており、電動送風機５０の下部にはコードリール５１が回転自在に設けられている。なお、図示してないが、電動送風機室２７には、制御部が配設されている。
【００１９】
次に、上記のように構成した掃除機本体１を備えた電気掃除機の作用について説明する。なお、この段階ではシャッタ調節体１７は図６のａ位置にあり、上蓋１０を閉じてもシャッタ３５に動作せず、風路開閉部３２の開口部３３は閉じられているものとする。
【００２０】
掃除機本体１のコードリール５１に巻かれた電源コード（図示せず）を引き出して商用電源に接続し、床用吸込み具５９を床面等に位置させて、手元ハンドル５７の電源スイッチをＯＮする。これにより、電動送風機５０が駆動されて空気流（以下、第１の空気流という）が発生し、床用吸込み具５９から塵埃等を含む空気が吸引され、延長管５８、手元ハンドル５７、ホース５６を経て、掃除機本体１内に吸い込まれる。
【００２１】
掃除機本体１内に吸い込まれた塵埃等を含む空気は、図１に実線矢印で示すように、集塵ボックス３０内に吸引されてフィルタ４０に衝突し、大部分の塵埃等は空気と分離して集塵ボックス３０内に落下して堆積し、残った細塵はフィルタ４０に捕捉されて清浄な空気となり、電動送風機５０、制御部等を冷却したのち、排気口６から外部へ排出される。
【００２２】
また、シャッタ調節体１７を図６のｂ位置に移動させて上蓋１０を閉じると、シャッタ３５が回動して風路開閉部３２の開口部３３を開口する。これにより、電動送風機５０の吸引力によって、実線矢印で示す第１の空気流と共に、上蓋１０に設けた第２の吸込み口１４から、破線矢印で示すように、風路１６、風路接続口１５、風路開閉部３２の開口部３３を経て、集塵ボックス３０内に至る空気流（以下、第２の空気流という）が発生する。
【００２３】
この第２の空気流は、掃除機本体１の周辺に浮遊する花粉、アレルゲンや微細な埃等の細塵を吸引し、集塵ボックス３０を経てフィルタ４０により濾過され、清浄な空気となって第１の空気流と合流し、外部へ排出される。したがって、室内の空気が細塵により汚れていると思われるときなどには、上蓋１０に設けたシャッタ調節体１７をｂ位置に移動させ、上蓋１０を閉じたときに風路開閉部３２の開口部３３を開口し、第２の空気流を発生させて第２の吸込み口１４から室内に浮遊する細塵を吸引するようにすればよい。
集塵ボックス３０が塵埃等で一杯になったときは、上蓋１０を開放してハンドル３１を起立させ、ロックを解除して集塵ボックス３０を上方に引き出し、塵埃等を廃棄して再び集塵室２６内にセットする。
【００２４】
本実施の形態によれば、上蓋１０を閉じることにより、床面等の塵埃等を吸引する第１の空気流に分岐風路を形成し、空中に浮遊する細塵を吸引するための第２の空気流を発生させるようにしたので、床面等の掃除と同時に空中に浮遊する細塵を吸引して人体への悪影響を抑制することができる。
また、第２の空気流を発生させるための専用の清浄用送風機やフィルタを設ける必要がなく、簡単な構造で掃除機本体１の小型化、軽量化を実現することができ、その上低コスト化をはかることができる。
【００２５】
［実施の形態２］
図９は本発明の実施の形態２に係る電気掃除機の掃除機本体に設けたシャッタ調節体と開口部開閉部の説明図である。なお、実施の形態と同じ構造又は同じ機能の部分には、これと同じ符号を付してある。
実施の形態１において、風路開閉部３２の開口部３３を開放して第２の空気流を発生させると、その分第１の空気流の風量が低減し、床用吸込み具５９による床面等の吸引力が低下する。
【００２６】
そこで、本実施の形態においては、図９に示すように、開口部開閉部３４の回動軸３６に設けたシャッタ駆動板３７の上面を、シャッタ調節体１７の移動方向であるａ位置側は低く、ｂ位置側になるにしたがって徐々に高くなる傾斜面３７ａに形成したものである。これにより、シャッタ３５による開口部３３の開口範囲を調整し、第１の空気流の吸引力の低下を抑制するようにしたものである。
【００２７】
次に、図１０によりシャッタ３５の開閉動作について説明する。なお、図１０の（ａ），（ｂ），（ｃ）の各図において、左側は上蓋１０を開放したときのシャッタ調節体１７と開口部開閉部３４との関係位置を示す前面図、右側は上蓋１０を閉じたときの側面図である。
図１０（ａ）においては、シャッタ調節体１７はａ位置にあり、上蓋１０を閉じると、矢印Ａで示すように、シャッタ調節体１７の押圧ノブ１８がシャッタ駆動板３７に接触しないため、シャッタ３５の位置は変化せず、シャッタ３５は開口部３３を閉じている（全閉状態）。そのため、第２の吸込み口１４からの外気は、集塵ボックス３０内には流入しない。
【００２８】
次に、図１０（ｂ）に示すように、シャッタ調節体１７を矢印ｂ方向に若干（例えば、全ストロークの２分の１程度）移動させる（以下、ｃ位置という）と、上蓋１０を閉じたときに、矢印Ｃで示すようにその押圧ノブ１８がシャッタ駆動板３７の上面の幅方向のほぼ中央部（傾斜面３７ａのほぼ中央部）に当接し、回動軸３６を中心にシャッタ３５を回動させ、開口部３３を約２分の１開放する（半開状態）。これにより、第２の吸込み口１４から吸引された第２の空気流の一部が、開口部３３から集塵ボックス３０内に流入する。
【００２９】
また、図１０（ｃ）に示すように、シャッタ調節体１７をｂ位置に移動させると、上蓋１０を閉じたときに、矢印Ｂに示すようにその押圧ノブ１８がシャッタ駆動板３７の左上面（傾斜面３７ａの最も高い位置）に当接し、回動軸３６を中心にシャッタ３５をほぼ垂直状態になるまで回動させ、開口部３３を全開させる（全開状態）。これにより、第２の吸込み口１４から吸引された第２の空気流の大部分は、開口部３３から集塵ボックス３０内に流入する。
【００３０】
上記のように構成した本実施の形態においては、使用者は、床面等や室内空気の汚れ状態などを勘案して、例えば、図１０（ｂ）に示すように、シャッタ調節体１７を中央部近傍、すなわちｃ位置まで移動させて開口部３３を半開状態にする。これにより、第１の空気流と第２の空気流の風量（吸引力）を、床面等や室内空気の汚れ状態に応じて調整することができる。
【００３１】
上記の説明では、風路開閉部３２の開口部３３の開度を、全開、全閉及び半開の３段階に調整する場合を示したが、これに限定するものではなく、床面等及び室内空気の汚れ状態に応じて、シャッタ調節体１７の位置を適宜設定することにより、開口部３３の開度を４段階又はそれ以上に調整してもよい。
【００３２】
本実施の形態によれば、実施の形態１の効果に加えて、さらに、床面等の汚れ状態と室内空気の汚れ状態を勘案して、第２の空気流の風量を３段階又はそれ以上に調整することができるので、使い勝手のよい電気掃除機を得ることができる。
【００３３】
［実施の形態３］
図１１は本発明の実施の形態３に係る電気掃除機の掃除機本体１の要部の説明図、図１２は図１１の作用説明図である。なお、実施の形態１，２と同じ部分には、これと同じ符号を付してある。
本実施の形態は、上蓋１０に、集塵ボックス３０の風路開閉部３２の開口部３３を開閉するシャッタ３５を制御する、シャッタ調節体１７の位置を検出する位置検出手段である例えばマイクロスイッチ４１を設けたものである。
【００３４】
図１２（ａ）において、２０は上蓋１０の蓋本体１１の風路接続口１５の近傍の幅方向に設けたガイド溝で、シャッタ調節体１７はガイド溝２０に設けたガイドレール２１に沿って、図の左右方向に移動する。そして、マイクロスイッチ４１は、ガイド溝２０の一方の端部（図には、右側端部、したがってａ位置に設けた場合が示してある）の上部に設置されている。１７ａはシャッタ調節体１７の上面に設けた突部である。
【００３５】
いま、シャッタ調節体１７をガイド溝２０の右端、したがってａ位置にセットすると、マイクロスイッチ４１のアクチュエータ４２がシャッタ調節体１７の突部１７ａに当って動作（ＯＮ又はＯＦＦ）するため、これにより、シャッタ３５は回動せず、開口部３３が全閉状態であることを検知することができる。
また、シャッタ調節体１７をガイド溝２０の左端、したがってｂ位置にセットすると、マイクロスイッチ４１は動作しないので、開口部３３が全開状態であることを検知することができる。なお、マイクロスイッチ４１をガイド溝２０の左端側に設ければ、開口部３３が全開状態のときはマイクロスイッチ４１が動作し、全閉状態のときは動作しない。
【００３６】
図１２（ｂ）は、シャッタ３５により開口部３３を全開、全閉及び半開の３段階に切換える場合を示すもので、２個のマイクロスイッチ４１ａ，４１ｂを、ガイド溝２０の左右方向の一方の端部側と、ほぼ中央部の２か所に設けたものである。
そして、開口部３３が全開又は全閉状態の場合は、図１２（ａ）の場合と同様に、開口部の状態をマイクロスイッチ４１ａで検出し、開口部３３が半開状態のときは、マイクロスイッチ４１ｂで検出する。
【００３７】
この場合、いずれかのマイクロスイッチ４１が風路開閉部３２の開口部３３の全部又は一部が開口されていることを検知したときは、その検知信号を制御部へ送る。制御部は開口部３３の開度に応じて、電動送風機５０への供給電力を調整（増加）し、床用吸込み具５９の吸引力、したがって、第１の空気流の低下を抑制し、床用吸込み具５９による塵埃等の吸込み力を維持する。
【００３８】
また、シャッタ３５が開口部３３の全部又は一部を開口して、第２の吸込み口１４から浮遊細塵を吸引するモードであることをマイクロスイッチ４１が検知したときは、制御部は、例えば上蓋１０に設けたＬＥＤ等の表示灯を点灯させて、使用者に現在のモードを報知する。この場合、開口部３３の開度（例えば、全開又は半開）に対応して表示灯を点灯させてもよい。なお、表示灯に代えて、又は表示灯と併せてブザーを鳴らすようにしてもよい。
【００３９】
本実施の形態によれば、位置検出手段であるマイクロスイッチ４１により、風路開閉部３２の開口部３３の開口の有無及び開口状態を検知し、開口状態に応じて電動送風機５０への供給電力を自動的に調整して、第１の空気流による吸引力の低下を抑制するようにしたので、第２の吸込み口１４から浮遊細塵を吸引するモードの場合においても、床用吸込み具５９により塵埃等の吸込み力を維持することができる。
【００４０】
また、マイクロスイッチ４１が開口部３３の開口状態を検知したときは表示灯を点灯し、又は表示灯に代えて若しくは表示灯と併せてブザーを鳴らすようにしたので、使用者は上蓋１０を開放することなく、現在のモード、したがって、開口部３３の全部又は一部が開口されて、第２の吸込み口１４から浮遊細塵を吸引していることを知ることができるため、使い勝手のよい電気掃除機を得ることができる。
【００４１】
［実施の形態４］
図１３は本発明の実施の形態４に係る電気掃除機の掃除機本体の上蓋に設けたシャッタ調節体及びその周辺の説明図である。なお、実施の形態３と同じ部分には、これと同じ符号が付してある。
実施の形態１〜３においては、シャッタ３５を開閉するシャッタ調節体１７を手動により移動させる場合を示したが、本実施の形態は、例えば実施の形態２に係るシャッタ調節体１７を自動的に移動させて、シャッタ駆動板３７に対する位置を調整し、シャッタ３５による開口部３３の開度を調整するようにしたものである。
【００４２】
本実施の形態は、図１３に示すように、例えば、ガイド溝２０に近接して上蓋１０の蓋本体１１にラック４４を設けると共に、シャッタ調節体１７に、このラック４４と噛合いステッピングモータの如き駆動部４６で駆動されるピニオン４５を設けて、シャッタ調節体１７の駆動手段４３を設けたものである。
そして、例えば、ホース５６の手元ハンドル５７の操作部に設けたボタンを操作することにより、駆動部４６の駆動回路をＯＮしてピニオン４６を回転させ、シャッタ調節体１７をガイド溝２０に沿って左右方向に移動させる。
【００４３】
上記の説明では、ラック４４とピニオン４５からなる駆動手段４３によりシャッタ調節体１７を移動させる場合を示したが、例えば、ソレノイドの鉄心をシャッタ調節体１７に連結し、ソレノイドに電圧を印加することによりシャッタ調節体１７を移動させるなど、他の駆動手段を用いてもよい。
【００４４】
また、本実施の形態においても、実施の形態３の場合に準じて、駆動手段４３によるシャッタ調節体１７の位置（したがって、シャッタ３５の開度に対応）に関する情報を制御部へ送り、制御部はこの情報に基いて電動送風機５０への供給電力を自動的に調整し、第１の空気流の風量の低下を抑制することができる。
【００４５】
本実施の形態によれば、上蓋１０を閉じたままで、手元ハンドル５７等に設けた操作部を操作することにより、シャッタ調節体１７を移動させて、シャッタ３５により開口部３３を全開若しくは全閉し、又は任意の開度に設定することができ、また、この設定情報に基いて電動送風機５０への供給電力を自動的に調整できるので、便利で使い勝手のよい電気掃除機を得ることができる。なお、上蓋１０や手元ハンドル５７などに、シャッタ開閉体１７の移動量（したがって、開口部３３の開度）を表示するようにすれば、より便利である。
【００４６】
［実施の形態５］
図１４は本発明の実施の形態５に係る電気掃除機の掃除機本体の上蓋の平面図である。なお、実施の形態１と同じ部分には、これと同じ符号を付してある。
本実施の形態は、実施の形態４に係る電気掃除機の掃除機本体の外回りに、空中に浮遊する細塵の量を検出する埃センサ４５を設けたものである。
【００４７】
図１４において、４７は掃除機本体１の上蓋１０に設けた埃センサで、投光部４８と受光部４９を所定の距離を隔てて対向配置したものである。そして、例えば手元ハンドル５７の操作部に設けた埃スイッチをＯＮすると、投光部４８は受光部４９に対して常時一定の光量を投光し、受光部４９はこの光を受光して、その受光情報を制御部へ送る。
投光部４８と受光部４９との間の空気が浮遊細塵によって汚れると、投光部４８からの光が散乱するため、受光部４９が受光する光量が減衰する。この光量の減衰は空気の汚れに対応する。
【００４８】
上記のように構成した本実施の形態において、制御部へ送られた埃センサ４７の受光部４９の受光量が、あらかじめ制御部に設定された基準受光量より低い場合、したがって、空中の浮遊細塵が多い場合は、制御部は、実施の形態４に係る掃除機本体１のシャッタ調節体１７の駆動手段４３に信号を送り、シャッタ３５による開口部３３の開度が、空気の汚れ（細塵の量）に対応した大きさ、すなわち、空気の汚れが多い場合は開口部３３の開度を大きく、汚れが少ない場合は開度が小さくなるように、駆動手段４３を駆動してシャッタ調節体１７を移動させ、シャッタ３５による開口部３３の開度を自動的に調整する。
【００４９】
埃センサ４７で検出した空気の汚れが少なくなれば、開口部３３の開度は自動的に小さくなり、空気の汚れが基準設定値より少なくなれば、シャッタ調節体１７が移動してシャッタ３５により開口部３３は閉じられるので、第２の空気流を効率的に発生させることができる。
本実施の形態においても、実施の形態３の場合と同様に、風路開閉部３２の開口部３３の開度に応じて、電動送風機５０への供給電力を自動的に調整して、第１の空気流の風量の低下を抑制することができる。
【００５０】
上記の説明では、埃センサ４７を掃除機本体１の上蓋１０に設けた場合を示したが、設置場所はこれに限定するものではなく、掃除機本体１の外回りで空中の浮遊細塵を検出しうる位置であれば、他の場所に設けてもよい。
また、投光部４８と受光部４９とからなる光電式の埃センサ４７により、空中に浮遊する細塵を検出する場合を示したが、他の構成の埃センサを用いてもよい。
【００５１】
本実施の形態によれば、空中の浮遊細塵の量によってシャッタ調節体１７を移動させ、シャッタ３５によって開口部３３の開度を自動的に調整すると共に、開口部３３の開度に対応して電動送風機５０への供給電力を自動的に調整して、第１の空気流を最適化するようにしたので、使用者はなんらの操作を行うことなく、床面等の塵埃等と空中に浮遊する細塵とを、自動的に効率よく吸引することができ、使い勝手のよい電気掃除機を得ることができる。
【００５２】
上記の説明では、図示の電気掃除機に本発明を実施した場合を示したが、これに限定するものではなく、他の構造の電気掃除機にも本発明を実施することができる。
【図面の簡単な説明】
【００５３】
【図１】本発明の実施の形態１に係る電気掃除機の掃除機本体の断面図である。
【図２】図１の掃除機本体の上蓋を開放した状態の外観斜視図である。
【図３】図１の上蓋の平面図である。
【図４】図３の上蓋の斜視図である。
【図５】図１の上蓋と集塵ボックスの要部の説明図である。
【図６】図５の正面斜視図である。
【図７】図５の風路開閉部の作用説明図である。
【図８】本発明に係る電気掃除機の全体構成を示す斜視図である。
【図９】本発明の実施の形態２に係る電気掃除機の掃除機本体に設けたシャッタ調整部と開口部開閉部の説明図である。
【図１０】図９の作用説明図である。
【図１１】本発明の実施の形態３に係る電気掃除機の掃除機本体の要部の説明図である。
【図１２】図１１の作用説明図である。
【図１３】本発明の実施の形態４に係る電気掃除機の掃除機本体の上蓋に設けたシャッタ調節体及びその周辺の説明図である。
【図１４】本発明の実施の形態５に係る電気掃除機の掃除機本体の上蓋の平面図である。
【符号の説明】
【００５４】
１  掃除機本体、２  下ケース、３  上ケース、４  ホース接続口（第１の吸込み口）、１０  上蓋、１４  第２の吸込み口、１５  風路接続口、１７  シャッタ調節体、２５  隔壁、２６  集塵室、２７  電動送風機室、３０  集塵ボックス、３２  風路開閉部、３３  開口部、３４  開口部開閉部、３５  シャッタ、３７  シャッタ駆動板、３７ａ  傾斜面、４０  フィルタ、４１  マイクロスイッチ（位置検出手段）、４３  シャッタ調節体の駆動手段、４７  埃センサ、５０  電動送風機、５５  ホースユニット。
【図１】
2010029239.tif 000003
【図２】
2010029239.tif 000004
【図３】
2010029239.tif 000005
【図４】
2010029239.tif 000006
【図５】
2010029239.tif 000007
【図６】
2010029239.tif 000008
【図７】
2010029239.tif 000009
【図８】
2010029239.tif 000010
【図９】
2010029239.tif 000011
【図１０】
2010029239.tif 000012
【図１１】
2010029239.tif 000013
【図１２】
2010029239.tif 000014
【図１３】
2010029239.tif 000015
【図１４】
2010029239.tif 000016